(57)【要約】【課題】  組み込み作業や調整作業などを容易に行える「電子機器」を提供する。【解決手段】  ベース４０ａの、上下両面に、ディスク駆動手段２０とカセットテープ駆動手段３０とからなる機構ユニットと、各種の回路基板４１，４２，４３を組み込むことにより基本組立体５０を形成し、その周囲に取り外し可能な複数のシャーシ１１ないし１６で覆う構成であるため、組み込み作業を容易にできる。また左右のサイドシャーシ１５，１６やトップシャーシ１１を取り外すことにより、外部から前記回路基板４１ないし４３に設けられた調整用部品の操作することができるため、調整作業を容易とすることができる。【選択図】図１
2005129669.tif 000002
【特許請求の範囲】
【請求項１】
複数の収納ユニットが内蔵された電子機器において、
ベースの一方の面に、少なくとも１個の収納ユニットが取付けられ、他方の面にも少なくとも１個の収納ユニットが取付けられて、前記一方の面に取付けられた収納ユニットを覆うシャーシと、前記他方の面に取付けられた収納ユニットを覆うシャーシとが、それぞれ前記ベースに取り外し自在に固定されていることを特徴とする電子機器。
【請求項２】
前記ベースには、一方の面から立ち上がる側板が形成され、前記ベースと前記側板および前記側板に取付けられたシャーシとで囲まれた収納空間内に、前記一方の面に取付けられた収納ユニットが内蔵されている請求項１記載の電子機器。
【請求項３】
前記収納ユニットは、ディスク駆動手段、カセットテープ駆動手段、メモリカード式記録媒体用のリード／ライト手段またはチューナー機構のいずれかの機構ユニット、または電子部品を実装した回路基板である請求項１または２記載の電子機器。
【請求項４】
前記ベースの一方の面と他方の面のそれぞれに前記機構ユニットが取付けられている請求項３記載の電子機器。
【請求項５】
前記回路基板が、前記ベースの少なくとも一方の側で、前記シャーシに囲まれて内蔵されている請求項３または４記載の電子機器。
【請求項６】
前記回路基板に実装された回路が、前記シャーシを取り外した状態で検査および／または調整可能とされている請求項５記載の電子機器。
【発明の詳細な説明】
【技術分野】
【０００１】
本発明は、例えばＣＤやＤＶＤ用のディスク駆動手段など少なくとも一以上の収納ユニットが搭載された電子機器係わり、特に組立て工程や調整作業などを容易に行えるようにした電子機器に関する。
【背景技術】
【０００２】
車載用のオーディオ機器やＡＶ機器などの電子機器では、いわゆる１ディンサイズや２ディンサイズなどの規格上で限られた容積のシャーシ内に、ＣＤ駆動手段、ＭＤ駆動手段、カセットテープ駆動手段、あるいはチューナー機構など機構ユニットおよび、電子回路を実装した回路基板が内蔵されている。
【０００３】
以下の特許文献１に記載のものは、上方および前方が開口した箱型のシャーシの底部に、回路基板が取付けられ、この回路基板の上にディスク駆動手段などの機構ユニットが重ねられて収納されている。そして、シャーシの上方が蓋体で塞がれ、前方がパネルで覆われている。
【特許文献１】特開平６−４４７６８号公報
【発明の開示】
【発明が解決しようとする課題】
【０００４】
しかし、前記のように、箱型のシャーシの内部に機構ユニットや回路基板が重ねられて取付けられている電子機器では、組み立て作業において、まず回路基板をシャーシ内に固定してから、その上に回路基板に直接に当たらないように機構ユニットを設置することが必要であり、シャーシ内への組み付け作業が煩雑である。また回路基板に実装された電子部品の交換修理などを行う際には、一度機構ユニットをシャーシの上方へ取り外してから、さらに回路基板を取り外すことが必要であり、分解作業も煩雑である。
【０００５】
さらに、組み立て時や保守作業において、回路基板に実装されている回路の検査や調整を行う際にも、回路基板に重ねられている機構ユニットを取り外すことが必要である。また、箱型のシャーシの内部に収納された回路基板上の回路を、前記機構ユニットを取り外すことなく行えるように、シャーシの底板などに検査や調整用の穴を空け、前記穴を介してシャーシの外部から回路調整を行うことも行われている。しかし、前記穴を空けることによりシャーシの内部の密閉度が低下し、前記穴からシャーシ内部に埃などが進入しやすくなる。
【０００６】
また、車載用の電子機器では、前記ディスク駆動手段と回路基板の他に、さらにカセットテープ駆動手段などを収納する複合型のものが多く製造されている。このような複合型の電子機器では、シャーシ内に２個以上の機構ユニットとさらに回路基板を重ねて設置することが必要となって、組み立てや分解作業あるいは回路の検査、調整作業がさらに煩雑になる。
【０００７】
本発明は上記従来の課題を解決するためのものであり、各種収納ユニットの取付けや取り外しを容易にでき、さらに回路の検査、調整を容易にすることが可能な電子機器を提供することを目的としている。
【０００８】
また本発明はシャーシの密閉度を高めることにより、塵埃の侵入を低減できるようにした電子機器を提供することを目的としている。
【課題を解決するための手段】
【０００９】
本発明は、複数の収納ユニットが内蔵された電子機器において、
ベースの一方の面に、少なくとも１個の収納ユニットが取付けられ、他方の面にも少なくとも１個の収納ユニットが取付けられて、前記一方の面に取付けられた収納ユニットを覆うシャーシと、前記他方の面に取付けられた収納ユニットを覆うシャーシとが、それぞれ前記ベースに取り外し自在に固定されていることを特徴とするものである。
【００１０】
この電子機器では、ベースの一方の面と他方の面に収納ユニットを別々に取付けることができるので、組み立て作業が容易である。またシャーシを取り外すことにより、ベースの一方の面に取付けられた収納ユニットと、他方の面に取付けられた収納ユニットとをそれぞれ露出させることができるため、分解や保守作業が容易であり、シャーシを取り外した状態で、それぞれの収納ユニットの調整や修理も可能である。
【００１１】
本発明は、前記ベースには、一方の面から立ち上がる側板が形成され、前記ベースと前記側板および前記側板に取付けられたシャーシとで囲まれた収納空間内に、前記一方の面に取付けられた収納ユニットが内蔵されているものとして構成できる。
【００１２】
この電子機器では、一方の収納空間にはベースと一体の側板が設けられているので、この側板の上端を下向にして作業台に設置すると、前記収納空間内の収納ユニットに外力を与えることなく、ベースの他方の面に取付けられた収納ユニットの保守作業や調整作業を行うことができる。
【００１３】
例えば、前記収納ユニットは、ディスク駆動手段、カセットテープ駆動手段、メモリカード式記録媒体用のリード／ライト手段またはチューナー機構のいずれかの機構ユニット、または電子部品を実装した回路基板である。
【００１４】
なお、前記機構ユニットは、前記に列記したものに限られず、機構部品を含むユニットや、電子部品がシールドケースに囲まれた電子ユニットなどであってもよい。
【００１５】
また、本発明では、前記ベースの一方の面と他方の面のそれぞれに前記機構ユニットが取付けられているものとして構成できる。
【００１６】
この電子機器では、ベースの一方の側の機構ユニットと他方の側の機構ユニットを別々に組み込み、別々に取り外すことが可能である。
【００１７】
また、前記回路基板が、前記ベースの少なくとも一方の側で、前記シャーシに囲まれて内蔵されているものでは、前記回路基板に実装された回路が、前記シャーシを取り外した状態で検査および／または調整可能とされていることが好ましい。
【００１８】
このように構成すると、従来のように回路基板の回路を検査、調整するためにシャーシに穴を空ける必要が無くなって、装置の密閉度を高くでき、内部に埃などが侵入するのを防止できる。
【発明の効果】
【００１９】
本発明の電子機器では、複数の収納ユニットの組み込みが容易で、また分解作業も容易であり、それぞれの収納ユニットを取り外すことなく調整作業を行うことも可能である。
【００２０】
また、回路基板に実装された回路の検査や調整をシャーシを取り外した状態で、且つ他の収納ユニットを取り外すことなく行うことができる。また、シャーシに調整用の穴を形成することも不要であり、埃などの進入を防止できる。
【発明を実施するための最良の形態】
【００２１】
図１は本発明における電子機器の実施の形態として車載用の電子機器の概略を示す分解斜視図、図２は、組み立てられた状態の車載用電子機器を、フロントシャーシを外した状態で示した正面図である。
【００２２】
図１の車載用の電子機器１には、機構ユニットとして例えばＣＤやＤＶＤの再生や記録が可能なディスク駆動手段２０と、カセットテープの再生や記録が可能なカセットテープ駆動手段３０が内蔵されている。さらに、フロント回路基板１７，下部回路基板４１，４２およびサイド回路基板４３のそれぞれの回路基板が内蔵されている。本明細書では、それぞれの前記機構ユニットとそれぞれの前記回路基板が収納ユニットである。
【００２３】
車載用の電子機器１のシャーシ（筐体）１０（組み立てられた状態を図２に示す）は、図１に示すように、それぞれ独立した、中央シャーシ４０、ボトムシャーシ１１、トップシャーシ１２、フロントシャーシ１３、右サイドシャーシ１５およびヒートシンクを兼ねた左サイドシャーシ１６を組み立てることにより形成される。前記シャーシ１０は６面体の箱型であり、その容量はほぼ２ＤＩＮサイズである。
【００２４】
前記中央シャーシ４０は金属板を折り曲げて形成されたものであり、中央シャーシ４０は、ベース４０ａと、このベース４０ａから一方向（Ｚ１方向）へ直角に折り曲げられた前側板４０ｂ、横側板４０ｃ，４０ｄおよび背面側板４０ｅを有している。前側板４０ｂには大きく開口する切欠き部（開口部）４０ｂ１が形成され、横側板４０ｃにも大きく開口する切欠き部（開口部）４０ｃ１が形成されている。また、横側板４０ｄと背面側板４０ｅは、切欠き部を有しておらず中央シャーシ４０のそれぞれの横側面と背面とをほぼ完全に覆っている。
【００２５】
前記ディスク駆動手段２０は、このベース４０ａの一方の面である上面（Ｚ１側の面）にねじ止め等の締結手段によって直接に固定され、またはスタッドなどのスペーサを介して固定され、同様に前記カセットテープ駆動手段３０は、前記ベース４０ａの他方の面である下面（Ｚ２側の面）に直接に固定され、またはスタッドなどのスペーサを介して固定されている。
【００２６】
前記ディスク駆動手段２０は、前記切欠き部４０ｂ１の空間を経て挿入されたディスクの搬送を行うディスク搬送手段と、搬送されたディスクをターンテーブルとの間でクランプするディスククランプ手段、前記ディスクを回転させてディスクの記録面から情報を読み出し、または情報を前記ディスクに書き込むためのディスク再生・記録手段などを有しており、これらはディスク駆動手段２０内のユニットベースに組み込まれて一体化されている。このディスク駆動手段２０は、複数のディスクが収納され、その内いずれかのディスクを選択して駆動することが可能なチェンジャ機能を備えたディスク駆動手段であってもよい。
【００２７】
またカセットテープ駆動手段３０は、ベース４０ａの下側で挿入されたカセットテープを引き込むローディング機構と、カセットテープ内のリールに所定の回転力を与えて磁気テープの巻取りを行うテープ送り手段、磁気テープに記録されている情報の読み出しと、情報を前記磁気テープに書き込むテープ再生・記録手段などを有しており、これらがカセットテープ駆動手段３０のユニットベースに組み込まれて一体化されている。
【００２８】
図１および図２に示すように、前記ベース４０ａの下面には、コの字形状に形成された下部回路基板４１，４２が設けられている。下部回路基板４１と下部回路基板４２は、複数の支持ブラケット４６によって所定の距離を隔て互いに平行な状態で連結され、前記支持ブラケット４６が、ベース４０ａの下面に固定されている。前記カセットテープ駆動手段３０は、下部回路基板４１，４２の前記コの字形状に切り欠かれた部分に配置されている。
【００２９】
図２に示すように、前記下部回路基板４１，４２に実装された電子回路には、各機構ユニットの動作を制御する制御手段６１や電子機器１の電気系の調整をするための可変抵抗器などからなる複数の調整用部品６２が設けられている。前記調整用部品６２のアクチュエータ６２ａは、Ｘ１方向やＸ２方向の外方に向けて配置され、あるいは下部回路基板４２のＺ２方向に向く下面に実装されており、下部回路基板４１，４２を中央シャーシ４０から取り外すことなく、そのまま外方から調整作業を行えるようになっている。
【００３０】
また、下部回路基板４２の下面（Ｚ２側の面）には、各種の導通検査用の多数のランド部が露出している。
【００３１】
前記ベース４０ａの上方で且つ、前記横側板４０ｃの内側には、サイド回路基板４３が垂直な状態で配置されており、このサイド回路基板４３は、ベース４０ａの上面に固定され、あるいは前記横側板４０ｃの内側面に固定されている。このサイド回路基板４３は、主に前記ディスク駆動手段２０内の制御回路と前記下部回路基板４２の制御手段６１とを電気的に接続するためのものであり、このサイド回路基板４３に実装された回路にも前記調整用部品が実装されており、この調整用部品は、横側板４０ｃの切欠き部４０ｃ１の空間内においてＸ１方向に向けて露出し、外方から調整作業を行えるようになっている。
【００３２】
ボトムシャーシ１１は、金属板で折り曲げられて形成されたものであり、底板１１ａと、この底板１１ａから上方へ向けて直角に折り曲げられた前側板１１ｂ、横側板１１ｃ，１１ｄおよび背面側板１１ｅが設けられている。前側板１１ｂには切欠き部（開口部）１１ｂ１が形成され、横側板１１ｃ，１１ｄには、切欠き部（開口部）１１ｃ１，１１ｄ１が形成されている。背面側板１１ｅは中央シャーシ４０の下方の背面のほぼ全域を覆っている。
【００３３】
このボトムシャーシ１１は、前記各側板１１ｂ，１１ｃ，１１ｄ，１１ｅの上端が、中央シャーシ４０のベース４０ａの下面、あるいは各側板４０ｂ，４０ｃ，４０ｄ，４０ｅの外面の下部に、ねじ止めされて中央シャーシ４０に着脱自在に取り付けられている。
【００３４】
前記ボトムシャーシ１１の横側板１１ｄの外面には、左サイドシャーシ１６が、切欠き部１１ｄ１を覆うように、ねじ止めで着脱自在に取り付けられている。この左サイドシャーシ１６は、アルミニウムあるいはアルミニウム合金などの熱伝導率が高い厚めの金属板で形成されており、装置内部の温度を外部へ発散するヒートシンクとして機能する。
【００３５】
前記中央シャーシ４０の横側板４０ｃの外面、およびボトムシャーシ１１の横側板１１ｃの外面には、金属板の右サイドシャーシ１５が、切欠き部４０ｃ１および切欠き部１１ｃ１を覆うようにして、ねじ止めにより着脱自在に取り付けられる。
【００３６】
前記、中央シャーシ４０の各側板４０ｂ，４０ｃ，４０ｄ，４０ｅの上部には、トップシャーシ１２がねじ止めにより着脱自在に取付けられる。その結果、中央シャーシ４０と、右サイドシャーシ１５およびトップシャーシ１２によって、前記ディスク駆動手段２０とサイド回路基板４３を収納する上部収納空間Ａが形成される。また、中央シャーシ４０とボトムシャーシ１１、右サイドシャーシ１５と左サイドシャーシ１６とで、前記カセットテープ駆動手段３０および下部回路基板４１，４２を収納する下部収納空間Ｂが形成される。
【００３７】
前記中央シャーシ４０の前側板４０ｂと、ボトムシャーシ１１の前側板１１ｂの前面には、前記切欠き部４０ｂ１と切欠き部１１ｂ１の双方を覆う金属板のフロントシャーシ１３が、ねじ止めにより着脱自在に取り付けられる。
【００３８】
フロントシャーシ１３には前記切欠き部４０ｂ１に通じるディスク通過穴１３ａと、その下方に前記切欠き部１１ｂ１に通じるカセットテープ通過切欠きが形成されている。フロントシャーシ１３の前面（Ｙ１側の面）には、フロント回路基板１７が固定される。このフロント回路基板１７にも前記切欠き部４０ｂ１に通じるディスク通過穴１７ａと、その下方に前記切欠き部１１ｂ１に通じるカセットテープ通過切欠き１７ｂが形成されている。
【００３９】
フロントシャーシ１３およびフロント回路基板１７の前方には、ノーズ部材１８が、ねじ止めにより着脱自在に取り付けられている。ノーズ部材１８は、フロントシャーシ１３の全面を覆う面積を有しており、前記ディスク通過穴１７ａ，１３ａに通じるディスク挿入口１８ａと、前記カセットテープ通過切欠き１７ｂおよびフロントシャーシ１３のカセット通過切欠きに通じるカセットテープ挿入口１８ｂが開口している。
【００４０】
前記ノーズ部材１８の前面には各種のスイッチやボリュームなどの操作部材１８ｃや表示窓１８ｄなどが設けられている。前記フロント回路基板１７には前記操作部材１８ｃに対応するスイッチ本体、可変抵抗器などの操作型電子部品、および前記表示窓１８ｄに対向する液晶表示装置１７ｃなどが実装されている。
【００４１】
さらに、前記サイド回路基板４３、下部回路基板４１，４２、およびフロント回路基板１７のそれぞれの回路は、フレキシブルケーブルで接続され、またはコネクタを介して直接に接続されている。同様に、前記ディスク駆動手段２０内の制御回路とサイド回路基板４３との間、前記カセットテープ駆動手段３０内の制御回路と下部回路基板４１，４２との間もフレキシブルケーブルで接続され、またはコネクタを介して直接に接続されている。
【００４２】
以下には、前記電子機器の組立て工程について説明する。
先ず、前記ベース４０ａの上面側に前記ディスク駆動手段２０と前記サイド回路基板４３とを固定し、ベース４０ａの下面側にカセットテープ駆動手段３０と、前記下部回路基板４１，４２とを固定することにより、電子機器１の基本組立体５０が完成する。この基本組立体５０において、前記ディスク駆動手段２０、サイド回路基板４３、カセットテープ駆動手段３０、下部回路基板４１，４２との間が、図示しないコネクタやフレキシブルケーブルなどで電気的に接続される。
【００４３】
次に、前記基本組立体５０の底部側に前記ボトムシャーシ１１をねじ止めで固定し、その後に、前記フロント回路基板１７とノーズ部材１８とを組み付けたフロントシャーシ１３をねじ止め固定する。この状態で、前記フロント回路基板１７とサイド回路基板４３および下部回路基板４１，４２とを、図示しないコネクタやフレキシブルケーブルなどで結線する。そして、前記トップシャーシ１２およびそれぞれ左右のサイドシャーシ１５，１６をねじ止めして電子機器１の組み立て作業が完成する。
【００４４】
本願発明ではベース４０ａの上下両面に、機構ユニットまたは回路基板である収納ユニットを取り付けてケーブルを結線し、その後にシャーシ１０の組立てを完成する工程を経るため、各ユニットの組立てや結線作業を容易にできる。
【００４５】
また、シャーシ１０を構成する各シャーシが個々に着脱可能であるため、例えば左右のサイドシャーシ１５，１６やトップシャーシ１２を組み付ける前の状態で、さらにはボトムシャーシ１１を組み付ける前の状態で、各機構ユニットを動作させることが可能である。また、前記のようにシャーシ１０を組み立てる前の基本組立体５０の状態で、しかもディスク駆動手段２０や、カセットテープ駆動手段３０を取り外すことなく、さらにサイド回路基板４３と下部回路基板４１，４２も取り外すことなく、これら回路基板の回路の検査や調整を行うことができる。このときディスク駆動手段２０やカセットテープ駆動手段３０を動作させながら回路の検査や調整を行うことも可能である。
【００４６】
したがって、トップシャーシ１２やサイドシャーシ１５，１６、およびボトムシャーシ１１に、外部から検査用のプローブやドライバーなどの冶具を挿入するための検査・調整用の穴を設ける必要がなく、シャーシ１０の内部の密閉度を向上できる。
【００４７】
また下部側に位置するカセットテープ駆動手段３０に何らかの不具合が発見され場合でも、底面側のボトムシャーシ１１のみを取り外すことにより、上部側のディスク駆動手段２０を取り外すことなく前記カセットテープ駆動手段３０のみを取り外すことができる。同様に、上部側に位置するディスク駆動手段２０に何らかの不具合が発見された場合には、トップシャーシ１２のみを取り外すことにより、電子機器１の全体を分解することなく前記ディスク駆動手段２０のみを取り外すことが可能である。
【００４８】
なお、上記実施の形態では、ベース４０ａの上部側にディスク駆動手段、下部側にカセットテープ駆動手段などの機構ユニットを設けた構成を用いて説明したが、本発明はこれに限られるものではなく、ベース４０ａの一方の側に機構ユニットを有し、他方に回路基板のみを設けた構成であってもよい。
【００４９】
また機構ユニットとしてＣＤやＤＶＤ用のディスク駆動手段を用いて説明したが、その他例えばＭＤ用、ＦＤ用、ＭＯ用のディスク駆動手段、ハードディスク駆動手段、あるいはメモリステック（登録商標）やＳＤカードに代表されるようなメモリカード式記録媒体用のリード／ライト手段などの記録媒体駆動手段であってもよい。さらには、記録媒体駆動手段以外のものとして、例えばチューナー機構などであってもよい。
【００５０】
さらに上記実施の形態では、ベース４０ａの両面の側にそれぞれ一ヶの機構ユニットを設けた構成を説明したが、２以上の機構ユニットを並列的に配置した構成であってもよい。
【図面の簡単な説明】
【００５１】
【図１】本発明における電子機器の実施の形態として車載用の電子機器を示す分解斜視図、
【図２】フロントシャーシを外した状態における車載用電子機器の正面図、
【符号の説明】
【００５２】
１  電子機器
１０  シャーシ
１１  ボトムシャーシ
１２  トップシャーシ
１３  フロントシャーシ
１５  右サイドシャーシ
１６  左サイドシャーシ
１７  フロント回路基板
１８  ノーズ部材
２０  ディスク駆動手段（機構ユニット）
３０  カセットテープ駆動手段（機構ユニット）
４０  中央シャーシ
４０ａ  ベース
４１，４２  下部回路基板
４３  サイド回路基板
５０  基本組立体
６１  制御手段
６２  調整用部品
【図１】
2005129669.tif 000003
【図２】
2005129669.tif 000004